(57)【特許請求の範囲】
【請求項１】
ハンドル操作に連動回転する回転体に一方向クラッチを介して逆転防止体を連結し、
リール本体に、前記逆転防止体の外周に形成したラチェットの逆転防止用の係止部に係脱可能な係止爪を装着した魚釣用リールの逆転防止装置に於て、
前記係止部を、ラチェットの周方向の一端側に形成され、逆転防止体の逆転時に前記係止爪が係止可能な逆転用係止部と、
ラチェットの周方向の他端側に、前記逆転用係止部と略同一またはそれ以上の寸法で径方向外方へ突設され、逆転防止装置の逆転可能状態から逆転防止状態への切換え時に前記逆転防止体が正転方向へ高速で回転していても、前記係止爪がラチェットに乗り上がることなく切換えと同時に係止する正転用係止部とで構成すると共に、
各逆転用係止部と正転用係止部とに隣接した逆転防止体の外周に、前記係止爪が係止して係止爪の抜止めを図る凹状の切欠部を周方向に離間して設けたことを特徴とする魚釣用リールの逆転防止装置。
【発明の詳細な説明】
【０００１】
【発明の属する技術分野】
本発明は、一方向クラッチを用いた魚釣用リールの逆転防止装置に関する。
【０００２】
【従来の技術】
今日、スピニングリールを始め、電動リールや両軸受型リールといった多くの魚釣用リールに、一方向クラッチを用いた逆転防止装置が装着されている。
図３は実用新案登録第２５２４４７７号公報に開示されたスピニングリールを示し、図中、１は軸受３を介してリール本体５に回転可能に支持された中空なフライヤ軸（回転体）で、その先端側外周にロータ７がナット９で固定されている。そして、フライヤ軸１の後端側外周に刻設されたピニオンに、ハンドル軸に固着した駆動歯車が噛合しており、ハンドル１１の巻取り操作でロータ７が釣糸巻取り方向（正転方向）へ回転するようになっている。
【０００３】
そして、ロータ７には一対の支持アーム１３が形成されており、両支持アーム１３の先端に、ラインローラ１５を装着したベールアーム１７とベールホルダー１９を介して半環状のベール２１が、釣糸巻取位置と釣糸放出位置へ反転自在に取り付けられている。
【０００４】
また、図中、２３はフライヤ軸１を挿通するスプール軸で、当該スプール軸２３のロータ側突出端にスプール２５が取り付けられている。そして、スプール軸２３の後端側にトラバース機構が装着されており、ベール２１を釣糸巻取位置側へ倒してハンドル操作でロータ７を釣糸巻取り方向へ回転させると、トラバース機構によって前後方向へトラバース運動するスプール２５に釣糸が巻回され、ベール２１を釣糸放出位置側へ反転させて仕掛けをキャスティングすると、スプール２５に巻回された釣糸がスパイラル状に繰り出されるようになっている。
【０００５】
そして、このスピニングリール２７は、ロータ７の円筒部２９の内部に、キャスティング時や釣糸の巻取り時にロータ７の釣糸繰出し方向（逆転方向）への回転を防止する逆転防止装置３１が装着されている。
図４及び図５は逆転防止装置３１の詳細を示し、この逆転防止装置３１は、フライヤ軸１の外周に装着された一方向クラッチ３３と、当該一方向クラッチ３３の外周に嵌合固定された筒状の逆転防止体３５と、当該逆転防止体３５の外周に形成されたラチェット３７の係止部６９に係止可能な係止爪３９とで構成されており、各ラチェット３７間には、係止爪３９の抜止めを図る切欠部３８が形成されている。
【０００６】
而して、一方向クラッチ３３は、図５に示すようにフライヤ軸１の外周に固着された内輪４１と、上記逆転防止体３５が外周に取り付く外輪４３と、内，外輪４１，４３間に配置された複数のコロ４５とスペーサ４７，バネ４９で構成されており、内輪４１は外周が円形に形成され、コロ４５はスペーサ４７によって等間隔に保持されている。そして、外輪４３の周壁に、各コロ４５に対応して凹部（非楔領域）５１とこれに連続する傾斜面（楔領域）５３が形成されており、コロ４５は夫々バネ４９によって傾斜面５３方向に付勢されている。
【０００７】
一方、係止爪３９は図４に示すように平面視く字形状に形成されて、上記切欠部３８に係合可能な係合部５５が爪先に形成されている。そして、係止爪３９はリール本体５に回転可能に支持されて、バネ部材５７によって係止部６９との係止方向に常時付勢されている。
【０００８】
そして、係止爪３９は、操作杆５９の先端に設けたカム６１によって係止部６９に係脱可能に制御され、操作杆５９のバネ掛部６３とリール本体５との間にトーションバネ６５が架設されている。そして、図３に示すようにリール本体５の後方に突出した操作杆５９にツマミ６７が取り付けられており、当該ツマミ６７を図４のＯＮ方向に操作すると、実線で示すように切欠部３８に係合部５５が係合し乍ら係止爪３９が係止部６９に係止し、また、ツマミ６７をＯＦＦ（逆転可能状態）方向に操作すると、二点鎖線で示すようにカム６１がバネ部材５７に抗して係止爪３９を反時計方向に回動させて、係止部６９との係止状態を解除させるようになっている。
【０００９】
実用新案登録第２５２４４７７号公報に開示された逆転防止装置３１はこのように構成されており、釣人がツマミ６７をＯＮ方向に操作した状態（逆転防止状態）でハンドル１１を巻取り操作すると、フライヤ軸１の正転に伴いコロ４５が回転し乍ら凹部５１に移動するため、フライヤ軸１（ロータ７）は釣糸巻取り方向に支障なく回転する。
【００１０】
そして、斯かる逆転防止状態に於て、魚の引きで釣糸が繰り出されてロータ７が逆方向に回転してフライヤ軸１が同方向に回転すると、コロ４５が傾斜面５３方向に移動して内，外輪４１，４３間に食い込み、その楔作用でフライヤ軸１と逆転防止体３５が一方向クラッチ３３を介して一体となるため、係合部５５が切欠部３８に係合し乍ら、係止爪３９が係止部６９に係止してロータ７の釣糸繰出し方向への回転が阻止される。
【００１１】
また、既述したようにツマミ６７をＯＦＦ方向に操作すると、係止爪３９と係止部６９との係止状態が解除されるため、逆転防止機構３１が逆転可能状態に切り換わってロータ７が正逆両方向へ回転可能となる。
【００１２】
このように逆転防止装置３１は、一方向クラッチ３３を介してフライヤ軸１に連結した逆転防止体３５のラチェット３７に係止爪３９を係脱させることで、逆転防止状態と逆転可能状態に切り換わるように構成されているが、図５に示すようにラチェット３７の形状は、フライヤ軸１の逆転時に係止爪３９が確実に係止するように逆転防止用の係止部６９が、これに対向するラチェット３７の壁面７１より径方向外方に高く形成されていた。
【００１３】
【発明が解決しようとする課題】
ところで、既述したようにツマミ６７をＯＦＦ方向に操作すると、係止爪３９と係止部６９との係止状態が解除されるため、逆転防止機構３１が逆転可能状態に切り換わってロータ７が正逆両方向へ回転可能となるが、釣糸の巻取り操作に伴い、コロ４５と内，外輪４１，４３との摩擦で逆転防止体３５は正転方向へロータ７と供回りする。
【００１４】
このため、逆転可能状態での急激，高速な巻取り操作中に、ツマミ６７を操作して逆転防止装置３１を逆転防止状態に切り換えても、係止爪３９が係止部６９に係止せずにラチェット３７に乗り上がって逆転防止体３５が空転してしまう虞があり、この結果、瞬時のロータ７の逆転防止ができず、また、係止爪３９が衝接しての逆転防止体３５の空転により係止爪３９やラチェット３７が摩耗，損傷して、逆転防止機能に支障を来してしまう等の課題が残されていた。
【００１５】
本発明は斯かる実情に鑑み案出されたもので、 一方向クラッチを用いたこの種の逆転防止装置に改良を加え、不必要な逆転防止体の空転防止を図って、実釣時の逆転防止機能の向上を図った魚釣用リールの逆転防止装置を提供することを目的とする。
【００１６】
【課題を解決するための手段】
斯かる目的を達成するため、請求項１に係る発明は、ハンドル操作に連動回転する回転体に一方向クラッチを介して逆転防止体を連結し、リール本体に、前記逆転防止体の外周に形成したラチェットの逆転防止用の係止部に係脱可能な係止爪を装着した魚釣用リールの逆転防止装置に於て、前記係止部を、ラチェットの周方向の一端側に形成され、逆転防止体の逆転時に前記係止爪が係止可能な逆転用係止部と、ラチェットの周方向の他端側に、前記逆転用係止部と略同一またはそれ以上の寸法で径方向外方へ突設され、逆転防止装置の逆転可能状態から逆転防止状態への切換え時に前記逆転防止体が正転方向へ高速で回転していても、前記係止爪がラチェットに乗り上がることなく切換えと同時に係止する正転用係止部とで構成すると共に、各逆転用係止部と正転用係止部とに隣接した逆転防止体の外周に、前記係止爪が係止して係止爪の抜止めを図る凹状の切欠部を周方向に離間して設けたことを特徴とする。
【００１７】
（作用）
請求項１に係る発明によれば、逆転可能状態での高速な巻取り操作中に逆転防止装置を逆転可能状態から逆転防止状態に切り換え操作すると、係止爪がラチェットに乗り上がることなく切換えと同時に正転用係止部に係止してロータの逆転防止状態に速やかに移行し、切り換え操作時の不要な回転方向の空転が防止されることとなる。
【００１８】
【発明の実施の形態】
以下、本発明の実施形態を図面に基づき説明する。
【００１９】
尚、発明部分を除く逆転防止装置の構成は図３以下に示す従来例と同様であるため、ここではそれらについての説明は省略し、専ら発明部分について説明し、上記従来例と同一のものは同一符号を以って表示する。
図１は請求項１に係る逆転防止装置に用いる逆転防止体の第一実施形態を示し、本実施形態に於ける逆転防止体７３も、既述した逆転防止体３５と同様、筒状に成形されて一方向クラッチ３３の外輪４３の外周に固着されている。
【００２０】
そして、図示するようにその外周に、平面視円弧状のラチェット７５が周方向へ等間隔に４個形成されており、従来と同様、各ラチェット７５の周方向の一端側に、逆転防止体７３の逆転時に係止爪３９が瞬時に係止可能な逆転用係止部７７が形成されているが、本実施形態は、斯かる構成に加え、各ラチェット７５の周方向の他端側に、逆転防止装置の逆転可能状態から逆転防止状態への切換え時に、逆転防止体７３が正転方向へ高速で回転していても、係止爪３９がラチェット７５に乗り上がることなく切換えと同時に係止可能な正転用係止部７９を、上記逆転用係止部７７と略同一またはそれ以上の寸法で径方向外方へ突設したことを特徴とする。
【００２１】
而して、上述の如き構成により、図１に示すように逆転防止体７３の中心Ｏから正転用係止部７９の突出端Ｐまでの寸法Ｌ１と、逆転防止体７３の中心Ｏから逆転用係止部７７の突出端Ｑまでの寸法Ｌ２はＬ１≧Ｌ２の関係になっている。
そして、本実施形態は更に、各逆転用係止部７７と正転用係止部７９とに隣接した逆転防止体７３の外周に、図３の従来例と同様、係止爪３９が係止して係止爪３９の抜止めを図る凹状の切欠部８１を周方向に離間して設けたものである。
【００２２】
本実施形態に係る逆転防止装置の逆転防止体７３はこのように構成されているから、実釣に当たり釣人がツマミ６７をＯＮ方向に操作すると、係合部５５が切欠部８１に係合して係止爪３９が逆転用係止部７７に係止する。そして、この状態でハンドル１１を巻取り操作すると、フライヤ軸１の正転に伴いコロ４５が回転し乍ら凹部５１に移動するため、フライヤ軸１（ロータ７）は釣糸巻取り方向に支障なく回転する。
【００２３】
そして、斯かる逆転防止状態に於て、魚の引きで釣糸が繰り出されてロータ７が逆方向に回転してフライヤ軸１が同方向に回転すると、コロ４５が傾斜面５３方向に移動して内，外輪４１，４３間に食い込み、その楔作用でフライヤ軸１と逆転防止体７３が一方向クラッチ３３を介して一体となるため、係止爪３９によってロータ７の釣糸繰出し方向への回転が阻止される。
【００２４】
また、ツマミ６７をＯＦＦ方向に操作すると、係止爪３９と逆転用係止部７７との係止状態が解除されるため、逆転防止機構は逆転可能状態に切り換わってロータ７が正逆両方向へ回転可能となる。
而して、この逆転可能状態で、逆転防止体７３はコロ４５と内，外輪４１，４３との摩擦で正転方向へロータ７と供回りするが、既述したように本実施形態は、各ラチェット７５に逆転用係止部７７と、当該逆転用係止部７７と略同一またはそれ以上の寸法で径方向外方へ突出する正転用係止部７９を形成したので、逆転可能状態での急激，高速な巻取り操作中に、ツマミ６７を操作して逆転防止装置を逆転防止状態に切り換えると、係止爪３３がラチェット７５に乗り上がることなく切換えと同時に係合部５５が正転用係止部７９に係止して、ロータ７の逆転防止状態に速やかに移行することとなる。
【００２５】
このように、本実施形態によれば、逆転可能状態での急激，高速な巻取り操作中に逆転防止状態に移行しても、係止爪３９がラチェット７５に乗り上がってしまうことがないため、逆転防止体７５が空転せず直ちにロータ７の逆転防止状態に移行して実釣時の逆転防止機能が支障なく得られると共に、係止爪３９が衝接して逆転防止体７５が空転することがないため、係止爪３９やラチェット７５が摩耗，損傷することもなくなる。
【００２７】
図２は請求項１に係る逆転防止装置に用いる逆転防止体の第二実施形態を示し、本実施形態に於ける逆転防止体９１は、筒状に成形されたその外周に、図１のラチェット７５と同一形状の正，逆転用係止部７９，７７を有する２個のラチェット７５を１８０°の間隔を開けて周方向に設けると共に、各逆，正転用係止部７７，７９に隣接して切欠部９３を設けたもので、その他の逆転防止装置の構成は、図３以下の従来例と同様であるのでそれらの説明は省略する。
【００２８】
而して、上記逆転防止体９１を用いた逆転防止装置によっても、逆転可能状態での急激，高速な巻取り操作中に、ツマミ６７を操作して逆転防止装置を逆転防止状態に切り換えると、係止爪３９がラチェット７５に乗り上がることなく切換えと同時に係合部５５が正転用係止部７９に係止して、ロータ７の逆転防止状態に速やかに移行することとなる。
【００２９】
従って、この実施形態によっても、第一実施形態と同様、所期の目的を達成することが可能である。
尚、本発明の逆転防止装置は、図３以下で説明した実用新案登録第２５２４４７７号公報の逆転防止装置のみならず、その他例えば特許第３０３４７５６号公報で開示されるように操作部材でロータに制動をかける装置に使用する一方向クラッチを用いた逆転防止装置に適用できることは勿論である。
【００３０】
【発明の効果】
以上述べたように、請求項１に係る発明によれば、逆転可能状態での高速な巻取り操作中に逆転防止装置を逆転可能状態から逆転防止状態に切り換え操作すると、係止爪がラチェットに乗り上がることなく切換えと同時に正転用係止部に係止してロータの逆転防止状の逆転防止機能が支障なく得られると共に、係止爪やラチェットの摩耗，損傷がなくなる等の効果が得られる。
【図面の簡単な説明】
【図１】  請求項１に係る逆転防止装置に用いる逆転防止体の第一実施形態の正面図である。
【図２】  請求項１に係る逆転防止装置に用いる逆転防止体の第二実施形態の正面図である。
【図３】  従来の逆転防止装置を装着したスピニングリールの要部切欠き側面図である。
【図４】  図３のＶ−Ｖ線断面図である。
【図５】  図４の拡大断面図である。
【符号の説明】
３９  係止爪
５５  係合部
７３，９１  逆転防止体
７５  ラチェット
７７  逆転用係止部
７９  正転用係止部
８１，９３  切欠部
【図１】
0003854485.tif 000002
【図２】
0003854485.tif 000003
【図３】
0003854485.tif 000004
【図４】
0003854485.tif 000005
【図５】
0003854485.tif 000006